(57)【要約】【課題】  遊技盤を収容枠に着脱する際に、化粧板の周縁角部を収容枠の後端にぶつけることなく、容易に遊技盤を着脱可能な弾球遊技機の枠構造を提供する。【解決手段】  遊技盤３０を着脱可能に収容する収容枠２０に、化粧板３１の前面を支持する前方支持面２２が形成された前方支持部２１と、化粧板の周囲を囲むように前方支持部から後方に突出して設けられた枠部２３と、前方支持部から後方に突出して設けられ化粧板を３１前後に貫通して形成された突起受容孔３５と係合して遊技盤を位置決めする位置決め突起２５とを設ける。そしてこの位置決め突起２５を、前方支持面２２から後端までの高さｈjが、枠部２３の前方支持面２２から後端までの高さ枠高さｈwよりも大きくなるように形成して弾球遊技機の枠構造を構成する。【選択図】  図６
2006149916.tif 000002
【特許請求の範囲】
【請求項１】
化粧板の前面に突設された多数本の遊技釘および遊技球が落入可能な入賞装置を有する遊技盤を後方から着脱可能に収容する収容枠が設けられた弾球遊技機の枠部材において、
前記収容枠には、
前記化粧板の前面を支持する前方支持面が形成された前方支持部と、
前記化粧板の周囲を囲むように前記前方支持部から後方に突出して設けられた枠部と、
前記前方支持部から後方に突出して設けられ前記化粧板を前後に貫通して形成された突起受容孔と係合して前記遊技盤を位置決めする位置決め突起とを有し、
前記位置決め突起は、
前記前方支持面から後端までの高さが、前記枠部の前記前方支持面から後端までの高さよりも大きく形成されていることを特徴とする弾球遊技機の枠構造。
【請求項２】
化粧板の前面に突設された多数本の遊技釘および遊技球が落入可能な入賞装置を有する遊技盤を前方から着脱可能に収容する収容枠が設けられた弾球遊技機の枠部材において、
前記収容枠には、
前記化粧板の後面を支持する後方支持面が形成された後方支持部と、
前記化粧板の周囲を囲むように前記後方支持部から前方に突出して設けられた枠部と、
前記後方支持部から前方に突出して設けられ前記化粧板を前後に貫通して形成された突起受容孔と係合して前記遊技盤を位置決めする位置決め突起とを有し、
前記位置決め突起は、
前記後方支持面から前端までの高さが、前記枠部の前記後方支持面から前端までの高さよりも大きく形成されていることを特徴とする弾球遊技機の枠構造。
【請求項３】
前記位置決め突起が、前記収容枠の複数箇所に設けられていることを特徴とする請求項１または請求項２に記載の弾球遊技機の枠構造。
【発明の詳細な説明】
【技術分野】
【０００１】
本発明は、化粧板の前面に多数本の遊技釘および遊技球が落入可能な入賞装置を有する遊技盤を着脱可能に収容する収容枠が設けられた弾球遊技機の枠構造に関する。
【背景技術】
【０００２】
上記のような収容枠を備えた弾球遊技機として、例えばパチンコ機や雀球遊技機、アレンジボール機などが広く知られている。この種の遊技機の代表例とされるパチンコ機では、ベニヤとも称される化粧板の前面に、多数本の遊技釘とともに風車、固定入賞具、図柄表示装置、種々の可動入賞装置や可動装飾装置などの遊技部品が取り付けられた遊技盤が用いられ、この遊技盤が開閉搭載枠たる前枠に取り付けられ、その後方に裏セット盤と称される球処理機構盤および制御装置が取り付けられて一体のパチンコ機が形成される。パチンコ機では、機体のベースとなる前枠や裏セット盤が一定期間一定の仕様で設定される一方、製造工場における生産機種の変更や、遊技施設におけるいわゆる盤面換え等を容易に行い得るように、前枠に遊技盤を着脱可能に収容する収容枠が形成され、この収容枠に機種ごとに異なるゲージ設定で形成された遊技盤を収容して係止保持させることで、生産機種の変更や盤面換えを容易に行えるように構成されている。
【０００３】
収容枠は、一般的には開閉搭載枠たる前枠の後面側または前面側に前枠と一体的に形成されており、例えば遊技盤を前枠の後面側から着脱する遊技盤後方脱着形態の枠構造では、化粧板の前面を支持する前方支持面と、化粧板の周囲を囲むように後方に突出して形成された枠部を主体として構成され、枠部の周囲には収容枠に収容された化粧板の裏面と係合して遊技盤を収容状態に係止保持する係止保持構造が複数設けられて構成される。そしてこのように遊技盤を着脱可能に収容保持する形態の弾球遊技機では、遊技盤を収容枠に収容保持させたときに、遊技盤側の遊技部品（例えば案内レールや入賞装置）が前枠側に設けられた遊技部品（例えば遊技球発射装置）に対して一定の位置関係に配設されるように遊技盤を位置決めする位置決め構造が設けられており、例えば収容枠の枠内に前方支持部から後方に突出して位置決め突起が設けられ、化粧板を前後に貫通して形成された突起受容孔と係合して遊技盤を位置決めするように構成される。（例えば、特許文献１、特許文献２を参照）。
【０００４】
【特許文献１】特開平９−１６４２５４号公報
【特許文献２】特開２００３−３２５９０５号公報
【発明の開示】
【発明が解決しようとする課題】
【０００５】
しかしながら、上記のような従来の枠構造では、位置決め突起が収容枠の枠部から突出しないように形成されており、例えば上述した遊技盤後方脱着形態の枠構造では、収容枠の前方支持面から位置決め突起後端までの突出高さが、前方支持面から枠部の後端までの突出高さ（すなわち枠部の前後方向の厚さ）よりも小さく形成されていた。このため、遊技盤を収容枠に収容しようとしたときに、突起受容孔が位置決め突起と嵌合する以前に化粧板の周縁角部が枠部の後端にぶつかって損傷を受けることがあるという問題があった。また、化粧板を枠部の後端縁部に一端支持させて化粧板を前方にスライドさせようとしたときに、位置決め突起が化粧板の前面にあたって遊技盤が傾き、誤って遊技盤を滑落させてしまったり、遊技釘を引っ掛けて曲げてしまうことがあるという問題もあった。
【０００６】
上記問題は、遊技盤を前枠の前面側から着脱する遊技盤前方脱着形態の枠構造でも同様であり、遊技盤を収容枠に収容しようとしたときに、化粧板の周縁角部が枠部の前端にぶつかって損傷したり、誤って遊技盤を収容枠の前方に滑落させてしまうことがあるという問題があった。
【０００７】
本発明は上記のような事情に鑑みてなされたものであり、遊技盤を収容枠に装着するときに化粧板を当接させたり滑落させたりすることなく、安定かつ容易に遊技盤を着脱可能な弾球遊技機の枠構造を提供することを目的とする。
【課題を解決するための手段】
【０００８】
上記目的達成のため、本発明に係る第１の枠構造は、化粧板の前面に突設された多数本の遊技釘および遊技球が落入可能な入賞装置を有する遊技盤を後方から着脱可能に収容する収容枠が設けられた弾球遊技機の枠部材（すなわち前述した遊技盤後方脱着形態の枠部材であり、例えば実施形態における前枠２が該当する）において、収容枠に、化粧板の前面を支持する前方支持面が形成された前方支持部と、化粧板の周囲を囲むように前方支持部から後方に突出して設けられた枠部と、前方支持部から後方に突出して設けられ化粧板を前後に貫通して形成された突起受容孔と係合して遊技盤を位置決めする位置決め突起とを設け、このうちの位置決め突起を、前方支持面から後端までの高さ（実施形態における嵌合軸高さｈj）が、収容枠における枠部の前方支持面から後端までの高さ（実施形態における枠高さｈw）よりも大きくなるように形成して弾球遊技機の枠構造を構成する。
【０００９】
また上記目的達成のため、本発明に係る第２の枠構造は、化粧板の前面に突設された多数本の遊技釘および遊技球が落入可能な入賞装置を有する遊技盤を前方から着脱可能に収容する収容枠が設けられた弾球遊技機の枠部材（すなわち前述した遊技盤前方脱着形態の枠部材であり、例えば実施形態における前枠２′が該当する）において、収容枠に、化粧板の後面を支持する後方支持面が形成された後方支持部と、化粧板の周囲を囲むように後方支持部から前方に突出して設けられた枠部と、後方支持部から前方に突出して設けられ化粧板を前後に貫通して形成された突起受容孔と係合して遊技盤を位置決めする位置決め突起とを設け、このうちの位置決め突起を、後方支持面から前端までの高さ（実施形態における嵌合軸高さｈj）が、収容枠における枠部の後方支持面から前端までの高さよりも大きくなるように形成して弾球遊技機の枠構造を構成する。
【００１０】
なお、上記第１または第２の枠構造における位置決め突起は、収容枠の複数箇所に設けることが望ましい。
【発明の効果】
【００１１】
上記第１の枠構造では、遊技盤後方脱着形態の枠部材において、収容枠に後方に突出して形成された位置決め突起の前方支持面からの突出高さを、化粧板の周囲に形成された枠部の前方支持面からの張り出し高さ（枠部の前後方向の厚さ）よりも大きく、すなわち位置決め突起が周囲の枠部よりも後方に突出するように形成している。このため、遊技盤を収容枠に装着する際に、まず突起受容孔が位置決め突起と嵌合し、次いで化粧板がこれらの係合により案内されながら収容枠の枠内に収容される。従って、遊技盤を収容させるときに化粧板の周縁角部が枠部後端に当接するような状況を大幅に減少させることができる。
【００１２】
上記第２の枠構造では、遊技盤前方脱着形態の枠部材において、収容枠に前方に突出して形成された位置決め突起の後方支持面からの突出高さを、化粧板の周囲に形成された枠部の後方支持面からの張り出し高さ（枠部の前後方向の厚さ）よりも大きく、すなわち位置決め突起が周囲の枠部よりも前方に突出するように形成している。このため、遊技盤を収容枠に装着する際に、まず突起受容孔が位置決め突起と嵌合し、次いで化粧板がこれらの係合により案内されながら収容枠の枠内に収容される。従って、化粧板の周縁角部は枠部前端に当接することなく枠内に収容される。
【００１３】
また、例えば化粧板の左右方向の位置決めを位置決め突起と突起受容孔の係合により行い、遊技盤の荷重を収容枠の枠部で支持するような構造の収容枠においても、化粧板を枠部の内側に進入させたときには、既に位置決め突起と突起受容孔とが嵌合状態になっている。このため、化粧板の縁部を枠部に支持させて枠内にスライドさせたような場合でも、位置決め突起が化粧板に当接して傾き遊技盤が滑り落ちたり、遊技釘を引っ掛けて曲げてしまうようなことがない。
【００１４】
さらに、上述した位置決め突起を収容枠の複数箇所に設ける構成とすれば、遊技盤を収容枠に装着する際に、複数の位置決め突起と複数の突起受容孔とが嵌合して、化粧板の鉛直面内の回転角度位置も位置決めすることができる。そして化粧板がこのように位置決めされた後、複数の位置決め突起と複数の突起受容孔との係合により、化粧板が左右に揺動することなく前後方向に案内されて収容枠の枠内に収容される。従って、遊技盤を着脱するときに化粧板の周縁角部が枠部後端に当接するようなことがない。
【００１５】
従って、本発明の枠構造によれば、遊技盤を装着するときに化粧板を当接させたり滑落させたりすることなく、安定かつ容易に遊技盤を着脱可能な弾球遊技機の枠構造を提供することを提供することができる。
【発明を実施するための最良の形態】
【００１６】
以下、本発明を実施するための形態について添付図面を参照しながら説明する。本発明に係る枠構造の前枠を備えた弾球遊技機の一例として、図１〜図３の各図に遊技盤後方脱着形態のパチンコ機を例示しており、まずこれらの図面を参照してパチンコ機ＰＭの全体構成について要約説明する。ここで、図１はパチンコ機ＰＭを斜め前方から見た斜視図、図２は前面のガラス扉および上球皿を横開き開放した状態の斜視図、図３はパチンコ機ＰＭを斜め後方から見た斜視図である。
【００１７】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉および着脱が可能に取り付けられ、正面右側に設けられた施錠装置４を利用して常には外枠１と係合連結された閉止状態に保持される。
【００１８】
前枠２の前面側では、前側面域に合わせた方形状のガラス扉５および上球皿６が横開き開閉および着脱可能に組付けられるとともに、上球皿６の下側に下球皿７、発射ハンドル８が組付けられ、前枠２の下部後面側に遊技球発射装置９の駆動機構部が装備されている。前枠２の上部には後に詳述する収容枠２０が前枠２と一体に形成されており、この収容枠２０に所定のゲージ設定で構成された遊技盤３０が前枠後方から着脱可能に収容され、周囲に設けられた係止保持構造を利用して係止保持されて、常には閉鎖保持されるガラス扉５に遊技盤正面の遊技領域ＰＡを臨ませている。収容枠２０の下側には遊技補助盤と称される補助機構部１０が設けられ、その前面側に遊技球発射装置９の発射機構部や下部スピーカなどが設けられている。
【００１９】
遊技盤３０は、例えば板厚１９mm程度の積層合板の表面にセルを貼り付けてルーター加工した化粧板３１を基板とし、化粧板側３１の前面に取り付けられた内レール部材３７および前枠２に形成された内外のレール部２１ａ，２１ｂにより、遊技盤３０の収容状態において略円形の遊技領域ＰＡが形成される。遊技領域ＰＡには、何れも詳細図示省略するが、多数本の遊技釘３２（図６以下の各図を参照）が化粧板３１の前面に突設されるとともに、遊技球が落入可能な固定入賞装置、電動チューリップ型やアタッカー型の可動入賞装置、遊技の展開状況に応じた図柄を表示する図柄表示装置を備えた中央飾りなどが取り付けられ、遊技領域ＰＡの下端部には化粧板３１を前後に貫通するアウト口３８が開口形成されている。
【００２０】
前枠２の裏面側に裏機構盤が設けられている。裏機構盤は、化粧板３１の下端面より上方の高さ範囲に設けられた逆Ｌ字状の上部裏機構盤４１と、化粧板３１の下端面よりも下側の高さ範囲に設けられた横長の下部裏機構盤４２とからなり、それぞれ前枠２の背面右側に設けられたヒンジ機構を利用して各々独立して横開き開閉および着脱が可能に取り付けられ、常には、図３に示すようにそれぞれ化粧板３１および遊技補助盤１０の背後を覆うように閉止保持される。
【００２１】
上部裏機構盤４１には球貯留タンク４１ａや球払出装置４１ｂなどの主として賞球の払出機構および球抜き機構が設けられ、下部裏機構盤４２の前面側には遊技盤３０から排出されたセーフ球やアウト球等の遊技済み球を遊技施設の回収装置に導く遊技済み球排出通路４２ｂ（図４を参照）、後面側にパチンコ機ＰＭの作動を制御する主制御装置４３や遊技球の払い出し作動を制御する球払出制御装置４４、各制御装置や電子部品に電力を供給する電源ユニット４５などの各種制御装置が取り付けられ、これらがコネクタケーブルで接続されてパチンコ機ＰＭが作動可能に構成される。
【００２２】
パチンコ機ＰＭは、上球皿６およびガラス扉５が閉止施錠された状態で遊技に供され、上球皿６の球受け皿に遊技球を貯留させて発射ハンドル８を操作することで遊技が開始される。発射ハンドル８において発射操作が行われると、上球皿６に貯留された遊技球が１球ずつ遊技球発射装置９に送り出され、遊技球発射装置のハンマーにより遊技領域ＰＡに打ち出されてパチンコゲームが展開される。
【００２３】
このように概要構成されるパチンコ機ＰＭにあって、前枠２の上部に本発明に係る枠構造を適用した収容枠が設けられている。以下図４〜図９の各図を併せて参照しながら収容枠の構成について説明する。ここで、図４は前枠２を外枠１の前方に開放し上下の裏機構盤４１，４２を前枠２の後方に開放した状態の斜視図、図５は遊技盤を取り外した状態で収容枠を主として示す前枠後方からの斜視図、図６〜図９は収容枠に対する遊技盤の装着状況を時系列で示しており図６が遊技盤装着前〜図９が遊技盤装着後の状態を示す側断面図（図４中のIX−IX矢視方向の断面図）である。なお以降では収容枠を後方から見た図面（図３〜図６）を主として参照しながら説明するため、背面視における左右方向をもって左・右と称して説明する。
【００２４】
収容枠２０は、化粧板３１の前面を支持する前方支持面２２が形成された前方支持部２１、化粧板３１の周囲を囲むように前方支持部２１から後方に突出して設けられた枠部２３、および前方支持部２１から後方に突出して設けられ化粧板３１を前後に貫通して形成された突起受容孔３５と係合して遊技盤を位置決めする位置決め突起２５などを有し、前枠２に一体に形成されている。
【００２５】
前方支持部２１の中央には、前後連通して略円形に開口する窓口開口２１ｗが形成されている。窓口開口２１ｗは、前方支持部２１から一定高さで後方に突出する円筒状に形成されており、この円筒内面に、遊技球発射装置９から発射された遊技球を受けて遊技領域ＰＡに導く外レール部２１ａ、および外レール部の終端に設けられた返しゴム（不図示）から下方に延びる内レール部２１ｂが形成されている。窓口開口２１ｗの後端部は平坦に成型されて略円環状の前方支持面２２が形成され、収容枠２０に収容保持された化粧板３１の前面を当接支持して遊技盤３０を前後方向に位置決めする基準面になっている。
【００２６】
窓口開口２１ｗの外側に位置して、前方支持部２１から後方に突出して外殻方形の枠部２３が形成されている。枠部２３は、上方枠壁２３Ｕ、下方枠壁２３Ｄ、左方枠壁２３Ｌ、右方枠壁２３Ｒからなり、上下の枠壁２３Ｕ，２３Ｄおよび左右の枠壁２３Ｌ，２３Ｒの各内面間隔が、化粧板３１の上下左右の外形寸法よりも幾分大きめに設定されている。各枠壁の前後方向の突出高さは、前方支持面２２から枠壁後端までの高さが化粧板３１の板厚と略同一になるように形成されており、遊技盤３０を収容枠２０に収容させたときに化粧板３１が枠部２３内に収容され、上下左右の枠壁が化粧板３１の周囲を覆って配設されるようになっている。上下の枠壁２３Ｕ，２３Ｄの下面には所定間隔をおいて補強用のリブ２３ｂが形成されている。
【００２７】
収容枠２０の上部左右には、前方支持部２１の前面側に上部スピーカーをねじ止めするスピーカーマウント部が形成されるとともに、前方支持部２１の後面側には、ねじ止めされた上部スピーカーの後部全周を囲むスピーカー収容部２４が枠部２３と一体に形成されており、スピーカーの背面側に放出された逆位相の音が遊技盤の前面側に漏れないように、すなわち遊技機前方に放出された正位相の音が歪むことなくクリアな音程で再生されるようになっている。
【００２８】
一方、化粧板３１は、その外形形状がスピーカー収容部２４を含む枠部２３の形状に合わせてこれより幾分小さめに形成されるとともに、次述する位置決め突起２５，２５と位置整合して板面を貫通する突起受容孔３５，３５が形成されている。突起受容孔３５の孔径は嵌合軸部２５ｂの軸外径よりもわずかに大きめに形成されている。
【００２９】
そして上記のような枠壁に囲まれた枠部内側の左上方および右下方の２箇所に、前方支持部２１から後方に突出して位置決め突起２５，２５が設けられている。位置決め突起２５は、前方支持部２１から後方に膨出された比較的大径の台座部２５ａと、この台座部よりも小径で台座部２５ａからさらに後方に突出する嵌合軸部２５ｂとからなる前後２段の段付き円筒状をなし、遊技盤３０の質量を考慮して、例えば台座部２５ａの外径がφ２０mm程度、嵌合軸部２５ｂの外径がφ１０mm程度、肉厚が３mm程度に設定される。
【００３０】
台座部２５ａの後端（嵌合軸部２５ｂの基端）には、窓口開口２１ｗの後端に形成された前方支持面２２と同一面上に位置して円環状の前方支持面２６が形成されており、窓口開口２１ｗを囲む前方支持面２２とともに化粧板３１の前面を当接支持し、遊技盤３０の前後方向の位置決め基準になっている。また上下２箇所の位置決め突起は、化粧板３１の上下・左右方向位置および盤面に直交する軸まわりの回転方向位置を規定する基準であり、例えば右下方の位置決め突起が遊技盤３０の上下・左右方向の位置決め基準、左上方の位置決め突起が遊技盤３０の回転方向の位置決め基準とされる。
【００３１】
位置決め突起２５の高さは、前方支持面２２，２６から嵌合軸部２５ｂの後端までの高さ（以下、「嵌合軸高さ」という）をｈj、化粧板３１に打ち込まれた遊技釘３２の化粧板前面から前端までの高さ（以下、「釘高さ」という）をｈk、前方支持面２２，２６から枠部２３の後端面までの高さ（以下、「枠高さ」という）をｈwとしたときに、嵌合軸高さｈj＞釘高さｈk、嵌合軸高さｈj＞枠高さｈwとなるように設定している。また突起受容孔３５の化粧板前面からの深さ（以下、「嵌合孔深さ」という）をｈaとしたときに、嵌合軸高さｈj＞嵌合孔深さｈaとなるように設定している。
【００３２】
具体的には、各図に例示するパチンコ機ＰＭでは、位置決め突起２５の嵌合軸高さｈjを２１mm、遊技盤の釘高さｈkを１８mm、収容枠の枠高さｈwおよび嵌合孔深さｈaを化粧板３１の板厚と同一寸法の１９mmに設定した構成例を示している。
【００３３】
収容枠２０の枠壁の外側４箇所に、遊技盤３０を収容状態に係止保持する係止保持構造５０が設けられている。係止保持構造５０は、前端部が前方支持部２１のボスに固定され後端部が枠部２３より後方に突出するクランプ軸と、基端側がクランプ軸に回動自在に枢支され先端側が枠部に収容された化粧板３１の裏面と係脱可能な係止レバー５２と、係止レバーを前方に付勢するコイルスプリング５３、およびコイルスプリングを圧縮状態で係止する袋ナット５４などから構成され、係止レバー５２を回動操作してレバー先端部を化粧板３１の裏面に係合させることで化粧板３１をコイルスプリングのバネ力により前方支持面２２に押圧させて遊技盤３０を係止保持させ、またレバー先端部を枠部２３の外方に待避させることで遊技盤３０の係止を解除できるようになっている。
【００３４】
さて、以上のように構成される収容枠２０に遊技盤３０を装着する過程について、図６〜図９に時系列で示す遊技盤の装着状況を参照しながら説明する。作業はまず前枠２を外枠１の前方に開放し、上下の裏セット盤４１，４２を前枠後方に開放した状態（図４を参照）で、係止保持構造の４箇所の係止レバー５２を待避位置に設定し（図４中の上部２箇所の係止保持構造５０を参照）、図５および図６に示すように収容枠２０の後方から遊技盤３０を挿入する。
【００３５】
そして、上下２箇所の突起受容孔３５を位置決め突起２５に位置合わせしながら化粧板３１を枠部２３に接近させ、位置決め突起２５の後端部を突起受容孔３５の前端開口部に係合させる。嵌合突起２５の後端部（軸部２５ｂの後端角部）にはテーパー状の面取りが施されており、テーパー面の誘導作用により化粧板が案内されて嵌合突起２５と突起受容孔３５とが滑らかに嵌合する（図７）。
【００３６】
前述したように、位置決め突起２５の嵌合軸高さｈjは、枠部２３の枠高さｈwとの間においてｈj＞ｈwなる関係を有して構成されている。このため、遊技盤３０を収容枠２０に収容させる初期状態では、化粧板３１が枠部２３の枠内に進入する以前に、上下の位置決め突起２５が各突起受容孔３５の前縁部と係合し、化粧板３１の上下・左右および回転方向の位置が適正な基準位置に位置決めされる。また上下の位置決め突起２５が突起受容孔３５に嵌入せずに化粧板３１の前面に当接した場合には、嵌合軸高さｈj＞枠高さｈwなる関係から、化粧板３１が枠部２３の内側に進入できずに浮き上がった状態になる。従って、上記何れの場合にも化粧板３１の周縁角部が枠部２３の後端にぶつかるようなことがない。
【００３７】
次いで、上記のように上下の位置決め突起２５が突起受容孔３５の前縁部と嵌合し、化粧板３１の上下・左右および回転方向の位置が位置決めされた状態で、遊技盤３０を前方に押圧する。すると化粧板３１は上下の位置決め突起２５と突起受容孔３５との嵌合によりガイドされ、そのままの上下・左右および回転方向位置で前方にスライドして、化粧板３１の前面側が枠部２３の後端にぶつかることなく枠部２３の内側に進入する（図８）。
【００３８】
ここで、位置決め突起２５の嵌合軸高さｈjは、遊技釘３２の釘高さｈkとの間においてｈj＞ｈkなる関係を有して構成されている。さらに、本実施例では枠部２３の枠高さｈwが遊技釘の釘高さｈkとの間においてｈw＞ｈkなる関係も満たすように構成されている。このため、遊技盤３０を収容枠２０に収容する初期状態において、化粧板３１の前面に突設された遊技釘３２が窓口開口２１ｗの開口内に進入する際には、既に上下の位置決め突起２５と各突起受容孔３５とが嵌合されて化粧板３１の上下・左右および回転方向位置が位置決めされており、遊技領域ＰＡ内に配設されるべき遊技釘は既に窓口開口２１ｗの開口面域内の適正な位置に配設されている。従って、化粧板３１を前方にスライドさせたときに、遊技釘３２が前方支持面２２や内外のレール部２１ａ，２１ｂに衝突するようなことがなく、そのまま開口面域内に進入する。
【００３９】
そこで遊技盤３０をさらに前方に押圧してスライドさせると、化粧板３１の前面が窓口開口の後端に形成された前方支持面２２、および位置決め突起２５の台座部に形成された前方支持面２６に当接し、化粧板３１の前面側に内外のレール部２１ａ，２１ｂに囲まれた遊技領域ＰＡが形成されるとともに、化粧板３１が枠部２３内に収容される。
【００４０】
収容状態では位置決め突起２５の後端部が突起受容孔３５から化粧板３１の裏面側に突出して配設されるため、作業者は上下の位置決め突起２５（嵌合軸部２５ｂ）の後端部が化粧板３１の裏面側に突出したか否かを目視確認することで遊技盤の収容状態を容易に把握できる。また突起受容孔３５の全長で遊技盤３０が支持されているため、化粧板３１を常時前方に押さえつけていなくても遊技盤が滑り落ちてくるようなことがない。そこで、遊技盤３０の収容が確認されたら、化粧板３１の背面を軽く支えながら枠壁の周囲に設けられた係止レバー５２を順次回動操作してレバー先端部を化粧板３１の裏面に係合させることで、化粧板３１がコイルスプリング５３のバネ力により前方に付勢され、前方支持面２２に当接支持された状態で係止保持される。
【００４１】
こうして遊技盤３０が収容枠２０に係止保持されると、遊技盤３０は化粧板３１の前面が前方支持面２２，２６に支持されて前後方向に位置決めされ、上下の位置決め突起２５における嵌合軸部２５ｂと突起受容孔３５との嵌合により上下・左右方向位置および盤面に直交する軸まわりの回転方向が位置決めされて、前枠２に対する基準位置にセット保持される。そして、前枠２の後方に上下の裏機構盤４１，４２を閉止保持して各遊技装置のコネクタケーブルを接続し、前枠２を外枠１に閉鎖させることでパチンコ機ＰＭが遊技可能に設定される。
【００４２】
このように、以上説明したような枠構造によれば、遊技盤３０を収容枠２０に着脱する際に、化粧板３１の周縁角部を枠部２３の後端に当接させたり、遊技釘３２の前端部を窓口開口２１ｗ周辺の前面部材に当接させるようなことがなく、安定かつ容易に遊技盤３０を着脱することができる。
【００４３】
なお、以上では、遊技盤３０の収容状態で位置決め突起２５が化粧板３１の後面側に突出する形態を例示したが、例えば図１０に示すように、化粧板３１の後面側に嵌合軸部２５ｂよりも幾分大径のザグリ穴（例えばφ１５mm、深さ３mm程度のザグリ穴）３６を形成して突起受容孔の嵌合孔深さｈaを化粧板３１の板厚よりも小さく設定する一方、位置決め突起２５の嵌合軸高さｈjを化粧板３１の板厚と同一若しくはわずかに短めに形成し（嵌合軸高さｈj＞嵌合軸深さｈa）、遊技盤３０の収容状態において、位置決め突起２５の後端部が突起受容孔３５からザグリ穴３６に突出するが、化粧板３１の後面よりも後方に突出しないように構成しても良い。
【００４４】
また、化粧板３１として板厚１９mm程度の積層合板を用いこれと同一枠高さの枠部を形成した例を示したが、化粧板の板厚が遊技釘の釘高さｈkよりも薄い板材、例えば板厚１５mm以下のメタクリル樹脂（ＰＭＭＡ）やポリカーボネート（ＰＣ）等の樹脂材料を用い、あるいは枠高さを板厚よりも小さく形成した場合にも同様に適用することができる。例えば釘高さｈkを１８mm、化粧板の板厚を１２mmとしたときに、枠高さｈwを１０〜１２mm程度、嵌合軸高さｈjを２０mm程度に設定することで、嵌合軸高さｈj＞釘高さｈk、嵌合軸高さｈj＞枠高さｈw、および嵌合軸高さｈj＞嵌合孔深さｈａの関係を満たし、本実施形態と同様の効果を得ることができる。また内外のレール部が化粧板側に設けられ、遊技釘と前面部材との当接が生じないような構成の場合には、釘高さについての条件を除外して構成すればよく、例えば上記例において嵌合軸高さｈjを１４mm程度に設定することで、化粧板と枠部との干渉を生じない枠構造を得ることができる。
【００４５】
さらに、実施形態では、遊技盤３０を前枠２の後方から着脱する遊技盤後方脱着形態の枠構造に適用した場合について説明したが、遊技盤を前枠の前方から着脱する遊技盤前方脱着形態の枠構造についても同様に適用することができる。すなわち、図１１に遊技盤前方脱着形態の収容枠２０′に遊技盤３０′が収容された状態の側断面図を略示するように、前枠２′の前面側に化粧板３１の背面を支持する後方支持面２２′を有する後方支持部２１′と、化粧板３１の周囲を覆う枠部２３′とを形成し、この後方支持部２２′の上下適宜な位置に前述したと同様に突起受容孔３５と嵌合する位置決め突起２５′を設けることで、後方支持部に内外レール部を有しない点を除き、前記同様に構成して同様の効果を得ることができる。
【図面の簡単な説明】
【００４６】
【図１】本発明に係る枠構造を適用した弾球遊技機の一例として示す、パチンコ機を斜め前方から見た斜視図である。
【図２】前面のガラス扉および球皿ユニットを横開き開放した状態の上記パチンコ機の斜視図である。
【図３】上記パチンコ機を斜め後方から見た斜視図である。
【図４】前枠を外枠の前方に開放し上下の裏機構盤を前枠の後方に開放した状態の斜視図である。
【図５】遊技盤を取り外した状態で収容枠を主として示す前枠後方からの斜視図である。
【図６】収容枠に対する遊技盤の装着状況を説明するための側断面図（１）であり、遊技盤を装着する直前の状態を示す図面である。
【図７】収容枠に対する遊技盤の装着状況を説明するための側断面図（２）であり、位置決め突起と突起受容穴とを嵌合させた初期状態の図面である。
【図８】収容枠に対する遊技盤の装着状況を説明するための側断面図（３）であり、化粧板の前面側が枠部内に進入した状態を示す図面である。
【図９】収容枠に対する遊技盤の装着状況を説明するための側断面図（４）であり、遊技盤が収容枠内に収容された状態を示す図面（図４中のIX−IX矢視方向の断面図）である。
【図１０】枠構造の他の構成例を遊技盤の収容状態で示す側断面図（図９と同様位置の側断面図）である。
【図１１】遊技盤前方脱着形態の前枠に本発明の枠構造を適用した構成例を示す側断面図である。
【符号の説明】
【００４７】
ＰＡ  遊技領域
ＰM  パチンコ機
ｈa  嵌合孔深さ
ｈj  嵌合軸高さ
ｈk  釘高さ
ｈw  枠高さ
１  外枠
２，２′  前枠（遊技盤後方脱着形態，符号「′」は遊技盤前方脱着形態を示す以下同じ）
２０，２０′  収容枠
２１  前方支持部（２１ａ  外レール部、２１ｂ  内レール部）
２１′  後方支持部
２２  前方支持面
２２′  後方支持面
２３，２３′  枠部
２５，２５′  位置決め突起
２６  前方支持部
３０，３０′  遊技盤
３１  化粧板
３２  遊技釘
３５  突起受容孔
【図１】
2006149916.tif 000003
【図２】
2006149916.tif 000004
【図３】
2006149916.tif 000005
【図４】
2006149916.tif 000006
【図５】
2006149916.tif 000007
【図６】
2006149916.tif 000008
【図７】
2006149916.tif 000009
【図８】
2006149916.tif 000010
【図９】
2006149916.tif 000011
【図１０】
2006149916.tif 000012
【図１１】
2006149916.tif 000013